(57)【要約】【課題】エンターテイメント性の向上を可能としたコンテンツ再生装置、コンテンツ再生方法、コンテンツ再生プログラム及び記録媒体を提供する。【解決手段】コンテンツの再生中に表示部４に表示される、コンテンツに関する文字を取得し、表示部４に表示されたコンテンツに関する文字の少なくとも一部の文字と対応付けられている画像を検索し、表示部４へ表示する。【選択図】図１
2009116972.tif 000002
【特許請求の範囲】
【請求項１】
コンテンツを再生する再生手段と、
前記再生中のコンテンツに関する文字を表示する表示手段と、
複数の画像を文字と対応付けて記憶する記憶手段と、
前記表示される文字の少なくとも一部の文字と対応付けられている画像を前記記憶手段から検索する検索手段と、
前記検索手段により画像が検索された場合に、当該画像を前記コンテンツに関する文字とともに表示手段に表示させる表示制御手段と、
を有することを特徴とするコンテンツ再生装置。
【請求項２】
請求項１に記載のコンテンツ再生装置において、
前記表示手段は、前記コンテンツに関する文字が複数ある場合に、いずれか一の文字を表示し、
前記検索手段は、前記一の文字の少なくとも一部の文字と対応付けられている画像を検索できなかった場合に、再生中の他のコンテンツに関する文字の少なくとも一部の文字と対応付けられている画像を検索することを特徴とするコンテンツ再生装置。
【請求項３】
請求項２に記載のコンテンツ再生装置において、
前記検索手段は、前記他のコンテンツに関する文字が複数ある場合には、当該複数の他の文字の中から一の文字を選定し、当該文字の少なくとも一部の文字と対応付けられている画像を検索することを特徴とするコンテンツ再生装置。
【請求項４】
請求項１乃至３に記載のコンテンツ再生装置において、
前記記憶手段は、コンテンツの属性の優先順位をさらに記憶し、
前記検索手段は、前記優先順位に基づいて、前記複数の他のコンテンツに関する文字の中から一の文字を選定することを特徴とするコンテンツ再生装置。
【請求項５】
請求項１に記載のコンテンツ再生装置において、
前記表示手段は、前記コンテンツに関する文字が複数ある場合に、すべての文字を表示し、
前記検索手段は、前記複数の文字の中から一の文字を選定し、当該文字の少なくとも一部の文字と対応付けられている画像を検索することを特徴とするコンテンツ再生装置。
【請求項６】
請求項５に記載のコンテンツ再生装置において、
前記記憶手段は、コンテンツの属性の優先順位をさらに記憶し、
前記検索手段は、前記優先順位に基づいて、前記複数の文字の中から一の文字を選定することを特徴とするコンテンツ再生装置。
【請求項７】
請求項１乃至６の何れか一項に記載のコンテンツ再生装置において、
前記検索手段は、前記表示手段に表示される文字が切り替わることを検知した場合に、切替後の文字の少なくとも一部の文字と対応付けられている画像を検索し、
前記表示制御手段は、前記検索手段により画像が検索された場合に、画像の表示切替と文字の表示切替を同期して実行するように表示手段を制御することを特徴とするコンテンツ再生装置。
【請求項８】
コンテンツを再生する再生工程と、
前記再生中のコンテンツに関する文字を表示する表示工程と、
複数の画像を文字と対応付けて記憶する記憶工程と、
前記表示される文字の少なくとも一部の文字と対応付けられて記憶されている画像を検索する検索工程と、
前記検索工程により画像が検索された場合に、当該画像を文字とともに表示工程に表示させる表示制御工程と、
を備えることを特徴とするコンテンツ再生方法。
【請求項９】
再生中のコンテンツに関する文字を表示する表示手段を備えるコンテンツ再生装置に含まれるコンピュータを、
コンテンツを再生する再生手段、
複数の画像を文字と対応付けて記憶する記憶手段、
前記表示される文字の少なくとも一部の文字と対応付けられている画像を前記記憶手段から検索する検索手段、
前記検索手段により画像が検索された場合に、当該画像を文字とともに表示手段に表示させる表示制御手段、
として機能させることを特徴とするコンテンツ再生プログラム。
【請求項１０】
請求項９に記載のコンテンツ再生プログラムがコンピュータに読み取り可能に記録されていることを特徴とする記録媒体。
【発明の詳細な説明】
【技術分野】
【０００１】
本願は、文字を表示しつつ、表示されている文字に関連するコンテンツを再生するコンテンツ再生方法等の技術分野に関する。
【背景技術】
【０００２】
表示部とオーディオ機能を有するコンテンツ再生装置、例えば携帯型音楽再生装置や車載用音楽再生装置等では、コンテンツ（例えば、音楽ファイル）を再生中に、上記表示部には、再生されているソースの種類（例えば、ＭＤ（Ｍｉｎｉ  Ｄｉｓｃ）かＣＤ（Ｃｏｍｐａｃｔ  Ｄｉｓｃ）等）や、音楽ファイルのタイトル又は収録時間等の文字が表示される他、背景画（画像）が表示されている。これらの背景画は、コンテンツ再生装置に予め記憶されていたり、ユーザにより事後的に追加することもでき、ユーザは、これらの範囲内で背景画を任意に設定することが出来る。
【０００３】
また、下記特許文献１では、車載用機器等の表示パネルに表示するためのアニメーション画像をユーザが自由に作成可能とし、かつ、オーディオデータとアニメーション画像再生との関連付け設定を容易とするための画像生成プログラム及び画像再生プログラムが開示されている。
【０００４】
これらの背景画は画像ファイル等を用いて、色彩鮮やかに表現することが可能であるため、表示部を用いて種々の視覚的効果を奏することが可能である。そして、数多くの背景画を状況に応じて表示させることにより、ユーザに新鮮さや新たな感動を与えることが可能となり、その結果としてエンターテイメント性の向上を図ることも可能である。
【特許文献１】特開２００４−２９５５４１号公報
【発明の開示】
【発明が解決しようとする課題】
【０００５】
しかし、これらの背景画は、例えば、複数のコンテンツを継続的に再生させている間は同一の背景画が表示され続けており、また、一つのコンテンツに複数の背景画を対応させることは出来なかったため、背景画の表示がパターン化されてしまい、種々の視覚的効果を奏する態様で利用されていなかった。
【０００６】
そこで、本願は、このような点の解消を課題の一つとし、エンターテイメント性の向上を可能としたコンテンツ再生装置、コンテンツ再生方法、及びコンテンツ再生プログラム等を提供することを目的とする。
【課題を解決するための手段】
【０００７】
上記の課題を解決するため、請求項１に記載の発明は、コンテンツを再生する再生手段と、前記再生中のコンテンツに関する文字を表示する表示手段と、複数の画像を文字と対応付けて記憶する記憶手段と、前記表示される文字の少なくとも一部の文字と対応付けられている画像を前記記憶手段から検索する検索手段と、前記検索手段により画像が検索された場合に、当該画像を前記コンテンツに関する文字とともに表示手段に表示させる表示制御手段と、を有することを特徴とすることを特徴とする。
【０００８】
また、請求項８に記載のコンテンツ再生方法の発明は、コンテンツを再生する再生工程と、前記再生中のコンテンツに関する文字を表示する表示工程と、複数の画像を文字と対応付けて記憶する記憶工程と、前記表示される文字の少なくとも一部の文字と対応付けられて記憶されている画像を検索する検索工程と、前記検索工程により画像が検索された場合に、当該画像を文字とともに表示工程に表示させる表示制御工程と、を備えることを特徴とするコンテンツ再生方法。
【０００９】
また、請求項９に記載のコンテンツ再生プログラムの発明は、再生中のコンテンツに関する文字を表示する表示手段を備えるコンテンツ再生装置に含まれるコンピュータを、コンテンツを再生する再生手段、複数の画像を文字と対応付けて記憶する記憶手段、前記表示される文字の少なくとも一部の文字と対応付けられている画像を前記記憶手段から検索する検索手段、前記検索手段により画像が検索された場合に、当該画像を文字とともに表示手段に表示させる表示制御手段、として機能させることを特徴とする。
【発明を実施するための最良の形態】
【００１０】
以下、本願の最良の形態を添付図面に基づいて説明する。なお、以下に説明する実施の形態は、コンテンツ再生記録装置に対して本願を適用した場合の実施形態である。
【００１１】
まず、図１を参照して、本実施形態に係るコンテンツ再生記録装置の構成及び機能を説明する。
【００１２】
図１は、本実施形態に係るコンテンツ再生記録装置の概要構成例を示す図である。
【００１３】
図１に示すように、コンテンツ再生記録装置Ｓは、再生処理部１、外部出力部２、記録部３、表示部４、操作部５、通信部６及びシステム制御部７を備えて構成されている。
【００１４】
再生処理部１は、本願の再生手段の一例として機能し、システム制御部７の制御の下、ＣＤ，ＭＤ，ＤＶＤ（Ｄｉｇｉｔａｌ  Ｖｅｒｓａｔｉｌｅ Ｄｉｓｃ）、固体記録媒体（例えば、メモリースティックやＳＤカード等）又はデジタルオーディオプレーヤ等の記録媒体に記録されたコンテンツ（例えば、楽曲や映像等）を再生し、外部出力部２へ出力する。更に、再生処理部１は、コンテンツの属性（例えば、コンテンツが楽曲である場合には、楽曲ＩＤ（楽曲の識別情報）、楽曲名、楽曲が収録されているアルバムのアルバム名、アーティスト名、作曲者名、ジャンル、演奏時間、歌詞情報、発売年月日。また、コンテンツが映像である場合には、映像ＩＤ（映像の識別情報）、タイトル名、ジャンル、上映時間、製作者、発売年月日等）を示す文字である、コンテンツに関する文字を後述するシステム制御部７へ出力し、表示部４にコンテンツに関する文字を表示する。
【００１５】
なお、これらのコンテンツは、例えばインターネットに接続された楽曲配信サーバから文字情報と共に通信部６を介してダウンロード可能になっている。また、上記文字情報等は、例えば、楽曲のデータのそれぞれに対応するＴＯＣ（Ｔａｂｌｅ  Ｏｆ  Ｃｏｎｔｅｎｔｓ）情報をキーとしてインターネットに接続されたＣＤＤＢ（Ｃｏｍｐａｃｔ  Ｄｉｓｃ  Ｄａｔｅ  Ｂａｓｅ）を有するサーバからもダウンロード可能になっている。
【００１６】
外部出力部２は、ＤＳＰ（Ｄｉｇｉｔａｌ Ｓｉｇｎａｌ Ｐｒｏｃｅｓｓｏｒ）、アンプ、及びスピーカ等を備えており、再生処理部１により再生されたコンテンツのデータに対して公知の音響処理を施し、アンプ及びスピーカを介して外部に音声出力する。
【００１７】
記録部３は、例えばハードディスクドライブ等からなり、システム制御部７の制御の下、例えば、再生処理部１から出力されたコンテンツのデータを例えば圧縮して、所定のファイル形式で記録すると共に、当該記録媒体に当該コンテンツに関する文字情報等を記録する。更に、記録部３は、本願の記憶手段として機能し、後述する複数の画像、この複数の画像と文字とを対応付ける文字−画像テーブル及び、コンテンツの属性と優先順位とを対応付ける属性テーブルを記録する。
【００１８】
表示部４は、表示パネル（例えば、液晶パネル等）を備えており、システム制御部７の制御の下、本願の表示手段として機能し、再生中のコンテンツに関する文字及び複数の画像等が表示される。
【００１９】
操作部５は、ユーザからの各種指示を入力するための複数の操作ボタンを備えており、ユーザにより操作ボタンが押下された場合に、その操作ボタンに応じた指示信号をシステム制御部７に出力する。更に、操作部５は、ユーザの選択（操作ボタンの操作）により、表示部４に表示される文字を、文字毎に切り替えて表示させる指示信号をシステム制御部７に出力するようになっている。
【００２０】
システム制御部７は、演算機能を有するＣＰＵ、作業用ＲＡＭ、及び各種処理プログラム（本願の表示制御プログラムを含む）やデータを記憶するＲＯＭ等を備えており、上記ＣＰＵが上記ＲＯＭ等に記憶されたプログラムを実行することにより、コンテンツ再生記録装置Ｓ全体を統括制御し、楽曲のデータの記録及び再生制御等を行う。更に、システム制御部７は、本願の検索手段及び表示制御手段として機能する。
【００２１】
具体的には、システム制御部７は、コンテンツの再生中に表示部４に表示される、全てのコンテンツに関する文字を取得する。次に、システム制御部７は、記録部３に記憶される、複数の画像と文字とを対応付ける文字−画像テーブルを参照して、表示部４に表示されたコンテンツに関する文字（システム制御部７が取得した、コンテンツに関する文字のうち表示部４に表示されているもの）の少なくとも一部の文字と対応付けられている画像を検索する。そして、文字と対応付けられた画像が検索された場合には、この画像をコンテンツに関する文字とともに表示部４へ表示する。
【００２２】
図２は、文字−画像テーブルの一例を示す図である。図２の文字−画像テーブル１０の例では、画像としての画像ファイルと、文字が対応付けられて登録されている。
【００２３】
図２の例で、「文字」とは、再生中に表示部４に表示される全てのコンテンツに関する文字のうち、少なくとも一部の文字を示している。また、「画像ファイル名（ＩＤ）」は、「文字」に対応付けられている画像としての画像ファイルを示している。
【００２４】
すなわち、システム制御部７は、コンテンツの再生中に表示部４に表示されるコンテンツに関する文字のうち、少なくとも一部の文字に「青」が含まれている場合に、この対応付けられた画像であり、「青」を印象付ける画像として画像ファイル名（ＩＤ）「０００１．＊＊＊」を表示部４へ表示する。同様に、コンテンツの再生中に表示部４に表示されるコンテンツに関する文字のうち、少なくとも一部の文字に「青空」が含まれている場合は、「青空」を印象付ける画像として画像ファイル名（ＩＤ）「０００２．＊＊＊」を表示部４へ表示する。
【００２５】
また、これら少なくとも一部の文字に「白」、「虎」が含まれている場合は、「白」を印象付ける画像として、画像ファイル名（ＩＤ）「０００３．＊＊＊」を、「虎」が含まれている場合は、「虎」を印象付ける画像として画像ファイル名（ＩＤ）「０００４．＊＊＊」をそれぞれ、表示部４へ表示する。
【００２６】
また、一つの「画像ファイル名（ＩＤ）」に、複数の「文字」を対応付けることも出来る。図２において、画像ファイル名（ＩＤ）「０００２．＊＊＊」には、「青空」及び「空」が対応付けられている。
【００２７】
（Ａ）動作例１
次に、図３乃至図６を参照して、コンテンツ再生記録装置Ｓの動作例１を説明する。図３は、動作例１として、表示部４に表示されるコンテンツに関する文字が一つである場合のコンテンツ再生記録装置Ｓの動作例を示すフローチャートである。
【００２８】
図３に示すように、再生処理部１等によって、コンテンツの再生が開始されると（ステップＳ１）、システム制御部７は、コンテンツの再生中に表示部４に表示可能とされる、全てのコンテンツに関する文字を取得する（ステップＳ２）。次に、システム制御部７は、表示部４に表示されるコンテンツに関する文字を選定する（ステップＳ３）。
【００２９】
そして、システム制御部７は、記録部３に記憶される、複数の画像を文字と対応付けて記憶されている文字−画像テーブル（図２参照）を参照して、表示部４に表示されたコンテンツに関する文字（システム制御部７が取得した、全てのコンテンツに関する文字のうち表示部４に表示されているもの）の少なくとも一部の文字と対応付けられている画像を検索する（ステップＳ４）。
【００３０】
文字と対応付けられた画像が検索された場合には（ステップＳ４：ＹＥＳ）、この画像をコンテンツに関する文字とともに表示部４へ表示する（ステップＳ５）。文字と対応付けられた画像が検索されなかった場合には（ステップＳ４：ＮＯ）、システム制御部７は、他のコンテンツに関する文字が有るか否かを判断する（ステップＳ１１）。ここで、他のコンテンツに関する文字とは、システム制御部７が取得した全てのコンテンツに関する文字のうち、現在表示部４に表示されているコンテンツに関する文字以外をいう。
【００３１】
他のコンテンツに関する文字がない場合には（ステップＳ１１：ＮＯ）、一例として、後述するデフォルト画像が表示される（ステップＳ１２）。
【００３２】
図４は、文字−画像テーブルを参照して、取得されたコンテンツに関する文字の少なくとも一部の文字と対応付けられている画像が表示部４に表示された画面例を示している。
【００３３】
図４（Ａ）は、表示部４の表示態様の一例を示しており、背景画１００が表示されている。
【００３４】
また、表示部４の背景画として、システム制御部７が文字−画像テーブル（図２参照）を参照して、表示部４に表示されたコンテンツに関する文字の少なくとも一部の文字と対応付けられている画像が検索されなかった場合に表示される画像を予め設定することができる（デフォルト画像）。図３（Ａ）には、デフォルト画像として、灰色一色の背景画が設定されている。図３（Ａ）における実線部１１０内には、文字が表示される。
【００３５】
図４（Ｂ）は、本実施形態における表示部４の表示態様の一例を示している。
【００３６】
図４（Ｂ）−１は、タイトルが「白鳥○○○」である、コンテンツの一例としての音楽ファイルを再生している状態を示す。表示部４には、音楽ファイルのタイトルである、「白鳥○○○」が表示されている。システム制御部７は、音楽ファイルの再生中に表示部４に表示される、コンテンツに関する文字を取得している。すなわち、音楽ファイルのタイトルである、「白鳥○○○」を取得している。
【００３７】
次に、システム制御部７は、文字−画像テーブル（図２参照）を参照して、表示部４に表示されたコンテンツに関する文字の少なくとも一部の文字と対応付けられている画像を検索する。ここで、文字−画像テーブルには、文字である「白」と、「白」を印象づける画像として、「０００３．＊＊＊」が対応付けられている。ここで、「０００３．＊＊＊」の内容は、白色一色の背景画像である。
【００３８】
表示部４に表示される「白鳥○○○」の一部の文字として「白」があるため、画像である「０００３．＊＊＊」が検索される。そして、画像である「０００３．＊＊＊」をコンテンツに関する文字とともに表示部４へ表示する。図４（Ｂ）−１では、表示部４に、「白鳥○○○」とともに、画像である「０００３．＊＊＊」の内容として、白色一色の背景画像１０１が表示されている。
【００３９】
図４（Ｂ）−２は、タイトルが「青空○○○」である、コンテンツの一例としての音楽ファイルを再生している状態を示している。表示部４には、音楽ファイルのタイトルである、「青空○○○」が表示されている。図４（Ｂ）−１と同様に、システム制御部７は、文字−画像テーブル（図２参照）を参照して、表示部４に表示されたコンテンツに関する文字の少なくとも一部の文字と対応付けられている画像を検索する。
【００４０】
ここで、文字−画像テーブルには、文字である「青空」と、「青空」を印象づける画像（画像ファイル名（ＩＤ））である「０００２．＊＊＊」が対応付けられている。ここで、「０００２．＊＊＊」の内容は、青空に雲が浮かぶ様子を表した背景画像である。表示部４に表示される文字である「青空○○○」の一部の文字として「青空」があるため、画像である「０００２．＊＊＊」が検索される。そして、画像である「０００２．＊＊＊」をコンテンツに関する文字とともに表示部４へ表示する。図４（Ｂ）−２では、表示部４に、画像である「０００２．＊＊＊」の内容として、青空に雲が浮かぶ様子を表した背景画像１０２が表示されている。
【００４１】
また、「青空○○○」の一部の文字として「青空」、「青」及び「空」が検索されるが、このように複数の文字が検索された場合には、所定の基準で一つの文字または一つの画像を優先するようにしてもよい。例えば、文字数が一番多い「青空」を優先し、この「青空」に対応する画像を表示するようにしてもよい。また、より多くの文字が対応している画像である「０００２．＊＊＊」を優先して表示するようにしてもよい。
【００４２】
また、画像の優先順位を予め設定しておいて、優先順位の高い画像を表示するようにしてもよい。
【００４３】
図４（Ｂ）−３では、タイトルが「△△△」である、コンテンツの一例として音楽ファイルを再生している状態を示している。表示部４には、音楽ファイルのタイトルである、「△△△」が表示されている。図４（Ｂ）−１と同様に、システム制御部７は、文字−画像テーブル（図２参照）を参照して、表示部４に表示されたコンテンツに関する文字の少なくとも一部の文字と対応付けられている画像を検索する。
【００４４】
ここで、文字−画像テーブルには、文字である「△△△」と、画像（画像ファイル名（ＩＤ））が対応付けられていない。従って、表示部４に表示された文字の少なくとも一部の文字と対応付けられている画像が検索できない。この場合、一例として、デフォルト画像が表示部４に表示される。図４（Ｂ）−３では、表示部４に、デフォルト画像である、灰色一色の背景画１０２が表示されている。
【００４５】
図３のフローチャートの説明に戻り、他のコンテンツに関する文字がある場合には（ステップＳ１１：ＹＥＳ）、他のコンテンツに関する文字の中から属性テーブルに基づいて、コンテンツに関する文字を一つ選定する。
【００４６】
図５は、属性テーブルの一例を示す図である。
【００４７】
上述した通り、他のコンテンツに関する文字は、コンテンツの属性毎にそれぞれ存在する。例えば、コンテンツの属性として、コンテンツが楽曲である場合には、楽曲名、楽曲が収録されているアルバムのアルバム名、アーティスト名、作曲者名等があり、コンテンツに関する文字は、コンテンツの属性の具体的な文字、例えば、具体的な楽曲名、アルバム名となる。
【００４８】
そこで、他のコンテンツに関する文字のコンテンツの属性に、優先順位を付ける。そして、この優先順位の順番に応じて、システム制御部７は、文字−画像テーブルを参照して、他のコンテンツに関する文字の少なくとも一部の文字と対応付けられている画像を検索する。図６の例では、コンテンツの属性と優先順位が対応付けて登録されている。
【００４９】
図５の例で、「優先順位」とは、システム制御部７が、優先的に検索する順番を示している。また、「属性」とは、コンテンツの属性を示している。
【００５０】
図３のフローチャートの説明に戻り、属性テーブル（図５参照）に基づいて、文字と対応付けられた画像が検索された場合には（ステップＳ４：ＹＥＳ）、この画像をコンテンツに関する文字とともに表示部４へ表示する（ステップＳ５）。
【００５１】
図６は、コンテンツの再生中にコンテンツに関する文字を変更する場合の画面例を示している。
【００５２】
ここで、コンテンツの再生中にコンテンツに関する文字を変更する場合とは、全てのコンテンツに関する文字のうち、新たに表示部４に表示される文字を示す。
【００５３】
図６（Ａ）は、コンテンツの一例として音楽ファイルのタイトル「青空△△△」を再生する状態を示す。表示部４には、音楽ファイルのタイトルである、「青空△△△」が表示されている。そして、文字−画像テーブルを参照して、表示部４には、「０００２．＊＊＊」である、青空に雲が浮かぶ様子を表した背景画像１０２が表示されている。
【００５４】
図６（Ｂ）は、表示部４の音楽ファイルのタイトルである、「青空△△△」の表示を、アーティスト名である「虎○  ○○」に変更した場合の画面例を示している。
【００５５】
システム制御部７は、すでに、音楽ファイルの再生中に表示部４に表示される、全てのコンテンツに関する文字として、音楽ファイルのタイトルである、「青空△△△」及び、アーティスト名である「虎○  ○○」を取得している。そして、システム制御部７は、新たに表示部４に表示された、アーティスト名である「虎○  ○○」２１０を識別する。
【００５６】
次に、システム制御部７は、文字−画像テーブル（図２参照）を参照して、表示部４に表示されたコンテンツに関する文字の少なくとも一部の文字と対応付けられている画像を検索する。ここで、文字−画像テーブルには、文字である「虎」と、「虎」を印象付ける画像（画像ファイル名（ＩＤ））である「０００４．＊＊＊」が対応付けられている。ここで、「０００４．＊＊＊」の内容は、虎の背景画像である。
【００５７】
表示部４に表示されるコンテンツに関する文字である「虎○  ○○」の一部の文字として「虎」があるため、画像である「０００４．＊＊＊」が検索される。そして、画像である「０００４．＊＊＊」をコンテンツに関する文字とともに表示部４へ表示する。図６（Ｂ）では、表示部４に、画像である「０００４．＊＊＊」の内容として、虎の背景画像２００が表示されている。
【００５８】
なお、コンテンツの再生中にコンテンツに関する文字を変更する手段は、ユーザの任意の操作によっても可能であるし、ユーザの任意の操作によらない場合（システム制御部７による信号制御等）でも可能である。また、図４又は図６に示す一連の表示部４の表示は、画像の表示切替と文字の表示切替を同期して表示させるようにしてもよい。
【００５９】
図３のフローチャートの説明に戻り、表示部４に表示されるコンテンツに関する文字が変更（すなわち、全てのコンテンツの属性を示す文字のうち、表示部４に表示されていない文字が表示）された場合には（ステップＳ６：ＹＥＳ）、ステップ３の処理にもどり、システム制御部７は、新たに表示部４に表示されるコンテンツに関する文字を選定する。
【００６０】
表示部４に表示されるコンテンツに関する文字が変更されない場合には（ステップＳ６：ＮＯ）、次のステップに進み、再生されるコンテンツが変更されたか否かが判断される（ステップＳ７）。再生されるコンテンツが変更された場合には（ステップＳ７：ＹＥＳ）、ステップＳ２の処理に戻り、システム制御部７は、新たなコンテンツに関する全てのコンテンツに関する文字を取得する。
【００６１】
一方、再生されるコンテンツが変更されない場合には（ステップＳ７：ＮＯ）、コンテンツの再生が終了したか否かが判断される（ステップＳ８）。コンテンツの再生が継続して再生されている場合には（ステップＳ８：ＮＯ）、ステップＳ６に戻り、表示部４に表示されるコンテンツに関する文字が変更されたり、再生されるコンテンツが変更されるまで、画像の表示を継続する。コンテンツの再生が終了された場合には（ステップＳ８：ＹＥＳ）、全ての処理が終了する。
【００６２】
（Ｂ）動作例２
次に、図７及び図８を参照して、コンテンツ再生装置Ｓの動作例２を説明する。図７は、動作例２として、表示部４に全てのコンテンツに関する文字が表示される場合のコンテンツ再生装置Ｓの動作例を示すフローチャートである。図８は、動作例２（表示部４に全てのコンテンツに関する文字が表示される場合）の画面例を示している。
【００６３】
図７に示すように、再生処理部１等によって、コンテンツの再生が開始されると（ステップＳ３１）、システム制御部７は、コンテンツの再生中に表示部４に表示可能とされる、全てのコンテンツに関する文字を取得する（ステップＳ３２）。そして、表示部４にこれら全てのコンテンツに関する文字（例えば、コンテンツのタイトル、アーティスト名及びアルバムのタイトル等）を表示する。
【００６４】
次に、システム制御部７は、表示部４に表示可能とされる全てのコンテンツに関する文字の中から、いずれか一を選定する（ステップＳ３３）。具体的には、属性テーブル（図５参照）を参照し、優先順位の順番に応じて、システム制御部７が検索するコンテンツの属性を選定する。
【００６５】
そして、選定されたコンテンツの属性を示す文字（選定されたコンテンツの属性における、コンテンツに関する文字）の少なくとも一部の文字と対応付けられている画像を検索する（ステップＳ３４）。画像が検索された場合には（ステップＳ３４：ＹＥＳ）、この画像を表示部４へ表示する（ステップＳ３５）。文字と対応付けられた画像が検索されなかった場合には（ステップＳ３４：ＮＯ）、システム制御部７は、選定されるコンテンツに関する文字以外の文字があるか否かを判断する（ステップＳ４１）。
【００６６】
選定されるコンテンツに関する文字以外の文字がある場合には（ステップＳ４１：ＹＥＳ）、ステップＳ３３へもどり、属性テーブルを参照し、優先順位の順番に応じて、システム制御部７が検索する文字情報の属性を選定する。
【００６７】
一方、選定されるコンテンツに関する文字以外の文字がない場合には（ステップＳ４１：ＮＯ）、デフォルト画像が表示される（ステップＳ４２）。
【００６８】
次に、再生されるコンテンツが変更されたか否かが判断される（ステップＳ３７）。再生されるコンテンツが変更された場合には（ステップＳ３７：ＹＥＳ）、ステップＳ２の処理に戻り、システム制御部７は、コンテンツの再生中に表示部４に表示される、新たなコンテンツに関する全ての文字を取得する。
【００６９】
一方、再生されるコンテンツが変更されない場合には（ステップＳ３７：ＮＯ）、コンテンツの再生が終了したか否かが判断される（ステップＳ３７）。コンテンツの再生が継続して再生されている場合には（ステップＳ３７：ＮＯ）、ステップＳ３６に戻り、再生されるコンテンツが変更等されるまで、画像の表示を継続する。コンテンツの再生が終了された場合には（ステップＳ３７：ＹＥＳ）、全ての処理が終了する。
【００７０】
図８に、動作例２の画面例を示す。図８の例では、システム制御部７が取得した全てのコンテンツに関する文字は、コンテンツのタイトルである「○○○」３０１、アーティスト名である「×××」３０２及びアルバム名である「青△△」３０３であり、これら全てのコンテンツに関する文字が、表示部４に表示される。システム制御部７は、文字−画像テーブル（図２参照）及び属性テーブル（図５参照）を参照し、表示部４に表示されたコンテンツに関する文字の少なくとも一部の文字と対応付けられている画像を検索する。ここで、文字−画像テーブルには、文字である「青」と、「青」を印象づける画像として、「０００１．＊＊＊」が対応付けられている。従って、表示部４には、「青○○○」とともに、画像である「０００１．＊＊＊」の内容として、青色一色の背景画像３００が表示されている。
【００７１】
なお、これら一連の動作は、一定時間継続後終了させても良いし、ユーザの任意の指示により終了させても良い。
【００７２】
以上説明したように、上記実施形態によれば、コンテンツの再生中に表示部４に表示可能とされる、全てのコンテンツに関する文字を取得し、表示部４に表示されたコンテンツに関する文字の少なくとも一部の文字と対応付けられている画像を検索し、コンテンツに関する文字とともに表示部４へ表示するように構成したので、ユーザの事前の設定に関わらず、入力される文字に応じて画像を表示することができるため、ユーザを飽きさせず、更なるエンターテイメント性の向上を可能とすることができる。
【００７３】
また、表示部４に表示されたコンテンツに関する文字の少なくとも一部の文字と対応付けられている画像が検索されなかった場合には、他のコンテンツに関する文字が有るか否かを判断し、他のコンテンツに関する文字の少なくとも一部の文字と対応付けられている画像を検索し、文字とともに表示部４へ表示するように構成したので、例えば、一つのコンテンツについて異なる種類の画像を表示させることができるため、ユーザを飽きさせず、更なるエンターテイメント性の向上を可能とすることができる。
【００７４】
さらに、他のコンテンツに関する文字が複数ある場合には、何れか一の他の文字を選定し、選定された他のコンテンツに関する文字の少なくとも一部の文字と対応付けられている画像を検索し、コンテンツに関する文字とともに表示部４へ表示するように構成したので、例えば、一つのコンテンツについて異なる種類の画像を表示させることができるため、ユーザを飽きさせず、更なるエンターテイメント性の向上を可能とすることができる。
【００７５】
さらに、他のコンテンツに関する文字が複数ある場合には、優先順位に基づいて、何れか一の他のコンテンツに関する文字を選定し、選定された他のコンテンツに関する文字の少なくとも一部の文字と対応付けられている画像を検索し、コンテンツに関する文字とともに表示部４へ表示するように構成したので、例えば、一つのコンテンツについて異なる種類の画像を表示させることができるため、ユーザを飽きさせず、更なるエンターテイメント性の向上を可能とすることができる。
【００７６】
さらに、表示部４には、コンテンツの属性を示す文字に対応する全ての文字を表示することができるように構成したので、ユーザはより多くのコンテンツに関する情報を取得しつつ、ユーザを飽きさせず、更なるエンターテイメント性の向上を可能とすることができる。
【００７７】
また、再生中のコンテンツに関する文字の変更は、ユーザの任意の操作によってもすることができるように構成したので、ユーザの自己の操作に基づいて表示部４の表示態様が変更されるため、ユーザを飽きさせず、更なるエンターテイメント性の向上を可能とすることができる。
【００７８】
また、文字−画像テーブル（図２参照）において、「文字」と対応付ける「画像」は、ユーザの任意により選択可能とすることもできるため、種々の画像を表示することができ、ユーザを飽きさせず、更なるエンターテイメント性の向上を可能とすることができる。
【図面の簡単な説明】
【００７９】
【図１】本実施形態におけるコンテンツ再生記録装置の概要構成例を示す図である。
【図２】文字−画像テーブルの一例を示す図である。
【図３】表示されるコンテンツに関する文字が一つである場合のコンテンツ再生記録装置Ｓの動作例を示すフローチャートである。
【図４】文字−画像テーブルを参照して、取得されたコンテンツに関する文字の少なくとも一部の文字と対応付けられている画像が表示部４に表示された画面例を示す図である。
【図５】属性テーブルの一例を示す図である。
【図６】コンテンツの再生中にコンテンツに関する文字を変更する場合の画面例を示す図である。
【図７】全てのコンテンツに関する文字が表示される場合のコンテンツ再生装置Ｓの動作例を示すフローチャートである。
【図８】全ての文字が表示される場合の画面例を示す図である。
【符号の説明】
【００８０】
１  再生処理部
２  外部出力部
３  チューナ部
４  記録部
５  表示部
６  操作部
７  通信部
８  システム制御部
Ｓ  コンテンツ再生記録装置
【図１】
2009116972.tif 000003
【図２】
2009116972.tif 000004
【図３】
2009116972.tif 000005
【図５】
2009116972.tif 000006
【図７】
2009116972.tif 000007
【図８】
2009116972.tif 000008
【図４】
2009116972.tif 000009
【図６】
2009116972.tif 000010